(57)【要約】  【課題】  壁と扉が一体となった建具の特徴を十分に活かした製品が存在しなかった。  【解決手段】  内部に発光体１３、枠部分には集電ブロック１４を備えた建具１を、鴨居２または敷居３は伝導板４でその一部が覆われ、かつ前記導電性のある物質４には前記発光体１３を発光せしめるのに十分な電力が供給されている敷居の上に設置して用いることを特徴とする建具。建具全体がやさしく光るこれまでにない建具であるばかりか、光の強度を変化させることで様々なシーンに応じた全く新しい室内空間を演出する。【選択図】  図１
2017155569.tif 000002
【特許請求の範囲】
【請求項１】
電流を供給することによって発光する発光部と、
上記発光部から入力された光の一部を外部に反射することで全面が発光する導光板を内部に備えた建具。
【請求項２】
請求項１に記載の建具であって、
外部からの力によって容易に移動可能であることを特徴とする建具。
【請求項３】
電流を供給することによって発光する発光部と、
上記発光部から入力された光の一部を外部に反射することで全面が発光する導光板を内部に備えた襖。
【請求項４】
電源とスイッチを介して接続された伝導板が溝にそって設置されている鴨居と、一般的な敷居の間に設置される建具であって、
電流を供給することによって発光する発光部と、
上記発光部から入力された光の一部を外部に反射することで全面が発光する導光板と、
上記導光板の四辺に接続された建具の縁であって、上記導光板の上側部分には上記伝導板に常に電気的に接触している集電ブロックを備えていることを特徴とする建具の縁からなり、
鴨居から供給される電力によって導光板が光ることを特徴とする建具。
【請求項５】
電源とスイッチを介して接続された伝導板が溝にそって設置されている鴨居及び敷居に設置される建具であって、
電流を供給することによって発光する発光部と、
上記発光部から入力された光の一部を外部に反射することで全面が発光する導光板と、
上記導光板の四辺に接続された建具の縁であって、上記導光板の上側部分及び上記導光板の下側部分には上記伝導板に常に電気的に接触している集電ブロックを備えていることを特徴とする建具の縁からなり、
鴨居及び敷居から供給される電力によって導光板が光ることを特徴とする建具。
【請求項６】
電源とスイッチを介して接続された伝導板が溝にそって設置されている鴨居及び電源とスイッチを介して接続されたレールが溝にそって設置されている敷居に設置される建具であって、
電流を供給することによって発光する発光部と、
上記発光部から入力された光の一部を外部に反射することで全面が発光する導光板と、
上記導光板の四辺に接続された建具の縁であって、その上側部分には上記伝導板に常に電気的に接触している集電ブロックを備え、その下側部分には上記レールに常に接触している電気的に集電ブロック及び上記レールに常に接触しているレール用戸車を備えたことを特徴とする建具の縁からなり、
鴨居及び敷居から供給される電力によって導光板が光ることを特徴とする建具。
【請求項７】
電源とスイッチを介して接続された伝導板が溝にそって設置されている鴨居及び電源とスイッチを介して接続されたレールが溝にそって設置されている敷居に設置される襖であって、
電流を供給することによって発光する発光部と、
上記発光部から入力された光の一部を外部に反射することで全面が発光する導光板と、
容器導光板の表面に貼られた襖紙と、
上記導光板の四辺に接続された襖の縁であって、その上側部分には上記伝導板に常に接触している集電ブロックを備え、その下側部分には上記レールに常に電気的に接触している集電ブロック及び上記レールに常に接触しているレール用戸車を備えたことを特徴とする襖の縁からなり、
鴨居及び敷居から供給される電力によって導光板が光ることを特徴とする襖。
【発明の詳細な説明】
【技術分野】
【０００１】
本発明は、発光する建具に関する。
【背景技術】
【０００２】
建築物の開口部に設けられる開閉機能をもつ仕切りとして、板戸、障子、格子戸、雨戸、襖などが我が国において古来より用いられている。特に襖は、近年でも各家庭や料亭、旅館などの和風建築において部屋を仕切るために広く用いられている。襖は、中国より伝来した障子が寝殿の間仕切りに用いられる際に厚手の唐紙が使われるようになったのが始まりであり、江戸時代にいたって建具に絵を描くなど部屋を演出する重要なアイテムとしても用いられるようになっている。
【０００３】
明治維新以来の西洋化の進展とともに住居の脱和風が進み、それとともに伝統的な建具の需要は右肩下がりとなっているが、近年に入り和モダンの流行など、新たな和風建築、和風のインテリアが見直されつつある。また、科学技術の発達とともに様々な機能を付加した建具も開発されており、例えば特許文献１に示すとおりＬＥＤユニットを襖に取り付けることによって照明を行うことで、近辺の窓ガラスを温めコールドドラフトを防ぐといった機能を有する襖や、特許文献２に示すとおり光反応触媒を塗布することで脱臭効果を備えた襖も公知となっている。
【先行技術文献】
【特許文献】
【０００４】
【特許文献１】特開２０１１−８２１９１号公報
【特許文献２】特開２００９−１２１１１７号公報
【発明の概要】
【発明が解決しようとする課題】
【０００５】
しかし、出入り口、通風口、採光、防犯などの機能をもった新たな建具の開発という観点から見ると、まだまだ不十分な点も多かった。  そこで、本発明は、これまでにない斬新で、かつ様々な応用が可能な建具の提供を目的とする。
【課題を解決するための手段】
【０００６】
本発明では、内部に備えた光源からの光を導光板内で拡散させることで、表面が薄く発光する建具により、上記目的を達成する。
【発明の効果】
【０００７】
建具の表面全域が柔らかい光を発するという、これまでにない斬新な建具を提供することができる。また、導光板の上に遮光性のフィルム等を貼らない場合は、透明性をオンオフできる建具を安価に提供することが可能となる。さらに、光の強度を調節することにより、天井等に光源を備えない場合であっても室内を照らすことができるばかりか、光の強さを可変とすることで、様々な演出を行うことも可能である。
【０００８】
そのため、これまでにない斬新な空間を演出することが可能となり、料亭や旅館といった伝統的和風建築のみならず、浴室やトイレ、あるいは窓の代替物としてなど、様々な室内空間において利用可能な全く新しい建具を提供する。
【図面の簡単な説明】
【０００９】
【図１】発光襖の外観図
【図２】発光襖の概念図
【図３】発光襖、敷居、鴨居のサイズを示す図
【図４】鴨居の概念図
【図５】発光襖を鴨居、敷居に取り付けた際の断面図
【発明を実施するための形態】
【００１０】
以下、本発明の建具を添付図面に示す好適実施形態にもとづいて詳細に説明する。
【００１１】
本発明は導光板を、襖や障子、扉を始めとした建具として採用する点に最大の特徴を有する。導光板とは、アクリル等で形成された板である、アクリル板の内面では光が全反射を繰り返すため、側面から光を入力すると光は板面の外にもれることなく反対側の側面へ出力するが、全反射の際に光の反射角度を変える加工を行うことで光が板面から出るようになり、板面全体を光らせることが可能となったものである。
【００１２】
導光板には、光源として電球やＬＥＤ等の点光源が側面にそって敷き詰められている。光源として公知の全ての発光体を利用可能であるが、室内で用いること及び建具紙の近傍で利用することを考慮すると、大きな発熱を伴わないことが好ましい。そのため、発光ダイオードや有機エレクトロルミネッセンスなどが最適であるが、発熱を十分制御することで白色灯や蛍光灯などを用いることも可能である。特に、光量、発熱の観点からも十分な性能を有した発光ダイオードを利用した導光板は安価に市販されていることから、本発明には好適である。
【００１３】
導光板は全面が上述の原理により発光するが、光源は側面にのみ敷き詰められているにすぎないことから発熱量も限られていることに加え、発光面自体は発熱しない。そのため、建具に用いた場合であっても室内の空調への影響はほとんどない。
【００１４】
導光板は、液晶ディスプレイのバックライトや、駅の広告看板、時刻表の照明、各種表示板を発光させるために用いられてきたが、本発明では導光板自体を建具として用い、透明・非透明を容易に切り替え可能な建具、内部発光する建具というこれまでにない建具を提供可能とするものである。
【００１５】
導光板を建具として応用する際には、導光板自体に加えて、応用する建具に応じた付属物を装着する。例えば、人の出入りに供さない開口部に設置される窓として用いる場合は、導光板の四辺にサッシを追加する。サッシの材質としては、アルミや真鍮、木材などが適している。人の出入りに供する開口部に設置される襖や扉として用いる場合は、導光板を板襖等にみたてて、これに縁となる部分を四辺に追加し、縁の部分には引手金具や溝などを備える。縁の材質としては、木材やスチール、ステンレス、真鍮、アルミなどが適している。また導光板にフィルムや透光性のある和紙等を襖紙として貼っても良い。同じく人の出入りに供する開口部に設置されるドアとして用いる場合は、導光板を主要板として、蝶番やノブなどを追加する。
【００１６】
光源への電力の供給は、建具内部にバッテリーを備え、当該バッテリーからの給電に依るものとしてもよいが、室内に供給されている電力網と接続することで給電することが望ましい。この場合、建具の形状によって様々な形態が考えられる。
【００１７】
襖のように溝やレールに案内され、左右に戸をスライドして開閉する建具の場合、スライドが想定される全ての位置においても持続して給電可能な形態でなくてはならない。そのため、電源と接続された導電性のあるレーンを配した鴨居及び／または敷居に設置するものとし、襖の上及び／または下に集電ブロックを備え、当該集電ブロックとレーンを電気的に接続させることにより給電させる。
【００１８】
集電ブロックは、接触性であっても非接触性のいずれであってもよい。接触性の場合は導電体同士の物理的接触により、非接触性の場合は電磁誘導を利用する等の公知の方法により電力を供給する。接触性の場合には、バネを内蔵した集電ブロックや、集電ブラシが特に好適である。
【００１９】
開き戸のように蝶番で止められた部分を軸に弧を描いて開閉する建具の場合は、常に柱と接触する蝶番の内部に配線を行えばよい。回転扉の場合は、回転軸を中心に放射状に設置された扉を支持する部分の内部に配線を行えばよい。
【００２０】
導光板はアクリル板で形成されているため、無色透明である。そのため発光しない時は、ガラス板と同様に可視光線を遮ることはなく、透明な板として機能する。発光する時は、導光板自体の発光によって可視光線が遮られることから、非透明の板として機能する。そのため、極めて高価であることから利用が限られてきた瞬間調光ガラスを安価に代替することが可能となる。
【００２１】
特にシャワー室やトイレ等、利用する際には外部から目視されないことが求められる空間の間仕切りとして用いると、利用時は発光させることで室内を照らしつつ外部からの目視を防ぎ、非利用時は透明性をもって空間を広く感じさせることができる。すなわち、可視光線を遮るシーンと遮らないシーンを自由に切り替え可能で、同時に照明器具としても機能する建具として機能させることが可能となる。
【００２２】
導光板の表面を建具紙１２で覆うことで、常に可視光線を遮らせる間仕切りとすることも可能である。この場合、建具紙１２をデザイン処理することで、様々な環境にあったデザインの建具を提供することが可能となる。建具紙１２には、紙、織物、塩化ビニル、フィルム、ＰＥＴ（ポリエチレンテレフタレート）など公知の材料を用いることができるが、色合いや厚み、密度を吟味することによって、透光性を確保しなければならない。建具紙１２の表面側に模様や絵画などを描いてもよいが、内部から発光するという本発明に係る建具１に適した材料で描くことで、光を遮断し、あるいは透光させる領域を組み合わせ、大きな美術的効果を上げることができる。
【００２３】
＜実施例１＞  
以下、発光する建具の一実施例として、発光する襖について図面を参照しながら説明する。
【００２４】
図１は、実施例１の発光襖１の外観を示す図であり、実施例１の発光襖１が、柱、鴨居、敷居に嵌めこまれた状態を示している。図２は、実施例１の発光襖１の全体構成を示す図であり、図３はその寸法を示した図である。
【００２５】
導光板１１の左右の端部には光源となるＬＥＤ部が上下方向に配されている。そして導光板１１の上下左右には襖の縁１２が接続されている。襖の縁１２のうち、左側部分か右側部分のいずれか一方には、溝が刻むことで、スライド動作を行う際に指をひっかけることで、発光襖１の開閉を容易にしている。
【００２６】
襖の縁１２の上側部分及び下側部分には、集電ブロック１４が備えられている。集電ブロック１４は導電性のある金属で構成されており、好適には真鍮、銀、金、鉄、銅、アルミニウム、ステンレス等である。本実施例では真鍮を採用した。集電ブロック１４は、内部にバネを有しており、襖の縁１２の外側方向にむかって飛び出ている状態である。そして、集電ブロック１４は襖の縁１２の内部に設置された配線と接続されており、当該配線はＬＥＤ部に接続されている。
【００２７】
襖の縁１２の下側部分にはＶレール用戸車１５を２つ備えている。発光襖１は質量が大きいため、通常の襖に比して大きな摩擦力に抗さなければスライド動作を行うことができない。そのため、戸車を配することで摩擦力を下げ、容易に発光襖１を開閉可能とならしめている。
【００２８】
図４は、鴨居２の内部構造を示した図である。鴨居には、通常の鴨居と同様に溝を備えているが、この溝にそって導電性のある物資で構成された伝導板２１が配線されている。伝導板２１は、好適には真鍮、銀、金、鉄、銅、アルミニウム、ステンレス等である。本実施例では真鍮を採用した。伝導板２１は鴨居の端部から、壁内部に設置された電源部とスイッチを介して電気的に接続された状態となっている。
【００２９】
図５は、敷居及び鴨居に発光襖１をはめ込んだ状態の断面図である。敷居には、伝導Ｖレール３１が備えられており、伝導Ｖレール３１の上で発光襖１に備えられたＶレール用戸車１５が回転することにより、発光襖１を容易にスライドさせることが可能となっている。伝導Ｖレール３１は、好適には真鍮、銀、金、鉄、銅、アルミニウム、ステンレス等であるが、本実施例では真鍮を採用した。
【００３０】
Ｖ型のレールを採用することで、地震等で発光襖に力が加わった場合でも、戸車とレールがしっかりと噛みあうことで安定して発光襖１を保持可能である。そのため、重量の大きい発光襖１が万が一にも倒立し、家財や人に危害を加える可能性を著しく軽減している。
【００３１】
伝導Ｖレール３１は、鴨居側の伝導板２１と同様に、敷居の端部から壁内部に設置された電源とスイッチを介して電気的に接続された状態となっている。２４ボルト程度では通常の状態では感電のおそれはないが、人間や動物等が敷居をまたぐ際に伝導Ｖレール３１に接触した場合であっても、電線に留まった鳥などが感電しないことと同じ理由により、鴨居側の伝導板２１と伝導Ｖレール３１に同時に接触しない限り感電することはない。
【００３２】
電源部は、敷居の近傍に設置され、好適には壁の中に設置し、スイッチを始めとした操作部のみが壁の外に露出している形態である。電源に求められる能力としては、ＬＥＤ部が要求する消費電力が１００ワット程度であるため、感電の恐れがほとんどない２４ボルト程度で必要十分である。そのため、電源部は、一般に室内に配線されている１００ボルトの交流電源を、２４ボルトへ変換する変圧器、ＬＥＤが必要とする直流へ変換するコンバータ回路の２つから構成される。
【００３３】
ＬＥＤは供給される電力の量に応じて発光量が変化する性質があるため、供給電力を調整可能とすることで光量をコントロールすることが可能となる。あらかじめプログラムされたパターンで変化させることや、手動で変化させることのいずれも可能である。
【００３４】
導光板１１の表面には、襖紙１３が貼られている。襖紙１３は透光性のある材質であるＰＥＴを用い、公知のプリンターを用いて水玉模様や富士山の絵といった、襖にふさわしい図柄を印刷している。
【００３５】
このような構成を有した実施例１の発光襖１は、スイッチをオンにすることで、内部から襖の縁をのぞく全面が発光するという、これまでにない斬新な建具として用いることができる。また、襖紙１３に代えて透光性のある障子紙を貼ることで、障子として機能させることもできる。
【００３６】
＜変形例１＞
実施例１では、発光建具１に集電ブロック１４を備え、鴨居に伝導板、敷居に伝導Ｖレールを備えていたが、これを逆転させ、発光建具１の鴨居または敷居に接する枠の外部に導電レールを備え、鴨居または敷居に集電ブロックを備えた構成としてもよい。この場合、敷居側の電流が通る領域を集電ブロックに集中させることが可能となるため、万が一の感電の恐れを大幅に減らすことが可能となる。
【００３７】
＜変形例２＞
実施例１では、鴨居の伝導板と襖の縁の上側部分の集電ブロック、敷居の伝導Ｖレールと襖の縁の下側部分に設置された集電ブロックを介して電力を供給していたが、公知の技術を用いて鴨居側のみから電力を供給することも可能である。例えば、レーンを分割してそれぞれのレーンに電源のプラスとマイナスに接続することや、吊り建具を利用して裏面に配したレーンに電源のプラス、表面に配したレーンに電源のマイナスに接続すればよい。この場合、足で踏む恐れのある敷居側に電圧がかかることがないため、より安全な発光する襖を提供することが可能となる。
【００３８】
＜変形例３＞
給電口１４と発光体１３の間に、発光体１３への電力供給に変化を与える公知のコントロールボックスを備えることで、発光体１３の発光の強度を変化させることが可能となる。発光体１３を赤色ＬＥＤ、青色ＬＥＤ、白色ＬＥＤといった複数の色で構成し、各色ＬＥＤへの電力供給を変化させることで、様々な色合いで発光する建具１を実現する。
【００３９】
これにより、会食時、歓談時、休憩時、読書時といった様々なシーンに最も適した室内空間を演出することが可能となる。また、本発明は建具全体が発光することから、室内空間へ与える影響も大きく、これまでにない斬新な居住体験を得ることができる。
【００４０】
この色合いの変化は、あらかじめ定めたパターンに従って変化させてもよいし、乱数表等を用いてランダムに変化させてもよい。好適には、公知の無線技術を用いて、携帯電話やスマートフォン、携帯音楽端末等と接続し、これらの機器からの制御に応じて変化させるとなおよい。
【００４１】
なお、発光襖１の内部に、アンプやスピーカーを備えるものとし、上記の機器からの信号に応じて音を再生させてもよい。この音に連動して発光を制御することで、さらに斬新な室内体験を提供することができる。
【００４２】
＜変形例４＞  
実施例１では導光板１１を発光襖１として機能させたが、襖紙１を貼らないことで、窓ガラスの代替物として用いることもできる。すなわち、導光板１１はアクリルの板で構成されているため、ＬＥＤ部が発光しないときは窓ガラスと同様の無色透明の板であり、可視光線を遮ることはない。
【００４３】
ＬＥＤ部を発光させた場合は導光板１１の全面が発光することによって、可視光線を遮ることとなり、発光させない場合と比して、透明度が著しく低下する。そのため、調光ガラスの代替物として機能させることができる。外に面した開閉部に適用した場合、外部から非常に目立つ、特徴だった建築物を実現することができる。ただし、実施に際しては、雨天時であっても安全に電力を供給できるよう、電力供給ルートの防水性を十分考慮して設計しなくてはならないことは当然である。
【００４４】
＜変形例５＞
実施例１では、発光する襖について説明したが、公知の技術である、戸車に動力をもたせる機構を採用することで、自動で開閉する自動ドアとして機能させることも可能である。
【００４５】
＜実施例２＞
以下、発光する建具の一実施例として、発光する扉について説明する。
【００４６】
実施例１では導光板をスライドするタイプの建具である襖に適用したが、実施例２では蝶番で止められた部分を軸に弧を描いて開閉する開き戸に適用した場合について、実施例１と異なる点を中心に説明する。
【００４７】
導光板１１の四辺に開き戸の縁１７を接続し、その左側部分か右側部分のいずれか一方には、ドアノブが備えられており、通常のドアの同様にノブを回すことで開閉が可能となる。開き戸の縁１７の内部には配線が存在し、導光板のＬＥＤ部電気的に接続されている。
【００４８】
開き戸の縁１７のドアノブが備えられていない側には、蝶番が接続されている。蝶番は一端を開き戸の縁１７、もう一端は柱に接続されている。蝶番は内部に空洞部分を備えており、この空洞部分に開き戸の縁１７の配線が通ることで、外部の電源とＬＥＤ部が接続されている。
【００４９】
このような構成を有した実施例２の発光開き戸は、スイッチをオンにすることで、内部から襖の縁をのぞく全面が発光するという、これまでにない斬新な建具として用いることができる。この開き戸は発光していないときは透明であるが、発光する場合は上述のとおり著しく透明度は下がる。
【００５０】
そのため、トイレや浴室のドアに用いると、使用時には発光することによって室内を照らすばかりか外部からの視線をカットし、使用しない場合は透明性をもたせることによって開放的な空間演出が可能となる。
【００５１】
以上、本発明の実施形態について説明したが、本発明の実施形態の一部または全部は、以下の付記のように記載される。
［付記１］
電流を供給することによって発光する発光部と、
上記発光部から入力された光の一部を外部に反射することで全面が発光する導光板を内部に備えた建具。
［付記２］
付記１に記載の建具であって、
外部からの力によって容易に移動可能であることを特徴とする建具。
［付記３］
電流を供給することによって発光する発光部と、
上記発光部から入力された光の一部を外部に反射することで全面が発光する導光板を内部に備えた襖。
［付記４］
電源とスイッチを介して接続された伝導板が溝にそって設置されている鴨居と、一般的な敷居の間に設置される建具であって、
電流を供給することによって発光する発光部と、
上記発光部から入力された光の一部を外部に反射することで全面が発光する導光板と、
上記導光板の四辺に接続された建具の縁であって、上記導光板の上側部分には上記伝導板に常に電気的に接触している集電ブロックを備えていることを特徴とする建具の縁からなり、
鴨居から供給される電力によって導光板が光ることを特徴とする建具。
［付記５］
電源とスイッチを介して接続された伝導板が溝にそって設置されている鴨居及び敷居に設置される建具であって、
電流を供給することによって発光する発光部と、
上記発光部から入力された光の一部を外部に反射することで全面が発光する導光板と、
上記導光板の四辺に接続された建具の縁であって、上記導光板の上側部分及び上記導光板の下側部分には上記伝導板に常に電気的に接触している集電ブロックを備えていることを特徴とする建具の縁からなり、
鴨居及び敷居から供給される電力によって導光板が光ることを特徴とする建具。
［付記６］
電源とスイッチを介して接続された伝導板が溝にそって設置されている鴨居及び電源とスイッチを介して接続されたレールが溝にそって設置されている敷居に設置される建具であって、
電流を供給することによって発光する発光部と、
上記発光部から入力された光の一部を外部に反射することで全面が発光する導光板と、
上記導光板の四辺に接続された建具の縁であって、その上側部分には上記伝導板に常に電気的に接触している集電ブロックを備え、その下側部分には上記レールに常に接触している電気的に集電ブロック及び上記レールに常に接触しているレール用戸車を備えたことを特徴とする建具の縁からなり、
鴨居及び敷居から供給される電力によって導光板が光ることを特徴とする建具。
［付記７］
電源とスイッチを介して接続された伝導板が溝にそって設置されている鴨居及び電源とスイッチを介して接続されたレールが溝にそって設置されている敷居に設置される襖であって、
電流を供給することによって発光する発光部と、
上記発光部から入力された光の一部を外部に反射することで全面が発光する導光板と、
容器導光板の表面に貼られた襖紙と、
上記導光板の四辺に接続された襖の縁であって、その上側部分には上記伝導板に常に接触している集電ブロックを備え、その下側部分には上記レールに常に電気的に接触している集電ブロック及び上記レールに常に接触しているレール用戸車を備えたことを特徴とする襖の縁からなり、
鴨居及び敷居から供給される電力によって導光板が光ることを特徴とする襖。
【符号の説明】
【００５２】
１  発光する建具
１１  導光板
１２  襖の縁
１３  襖紙
１４  集電ブロック
１５  Ｖレール用戸車
１６  引き手用溝
１７  開き戸の縁
２  鴨居
２１  鴨居側の伝導板
３  敷居
３１  伝導Ｖレール
５  スイッチ
【図１】
2017155569.tif 000003
【図２】
2017155569.tif 000004
【図３】
2017155569.tif 000005
【図４】
2017155569.tif 000006
【図５】
2017155569.tif 000007